(57)【要約】【課題】簡単な構造により低コストで、貼り替えによる粘着力の低下がない医薬ラベルの提供。【解決手段】貼付面に粘着剤が設けられたラベルシート２と、ラベルシート２の粘着剤側に剥離可能に設けられた剥離シート３とを有する医薬ラベルであって、ラベルシート２は、医薬の内容が表示される表示部２ａと、この表示部２ａの外側を囲むように設けられ、表示部２ａと分割された外枠部２ｂとを有するものであり、剥離シート３は、ラベルシート２の外枠部２ｂの領域内で内側部３ａと外側部３ｂとに分割されたものである。【選択図】図１
2014161366.tif 000002
【特許請求の範囲】
【請求項１】
貼付面に粘着剤が設けられたラベルシートと、
前記ラベルシートの前記粘着剤側に剥離可能に設けられた剥離シートと
を有する医薬ラベルであって、
前記ラベルシートは、医薬の内容が表示される表示部と、この表示部の外側を囲むように設けられ、前記表示部と分割された外枠部とを有するものであり、
前記剥離シートは、前記ラベルシートの前記外枠部の領域内で内側部と外側部とに分割されたものである
医薬ラベル。
【請求項２】
前記ラベルシートは、前記医薬が収容される第１容器に貼り付けられる第１段階では、前記剥離シートの前記内側部が前記ラベルシートの前記粘着剤側に残されたまま前記外側部が剥離されて前記第１容器に貼り付けられるものであり、前記医薬が前記第１容器から移し替えられる第２容器に貼り付けられる第２段階では、前記外枠部が前記剥離シートの前記内側部とともに前記第１容器に残されたまま前記表示部が剥離されて前記第２容器に貼り付けられるものである請求項１記載の医薬ラベル。
【発明の詳細な説明】
【技術分野】
【０００１】
本発明は、医薬の内容を表示するためにその医薬が収容される医薬用袋、注射器や輸液容器等の容器に付される医薬ラベルに関する。
【背景技術】
【０００２】
近年、注射薬の取り揃えを自動化する病院が増えてきている。医師の処方した注射薬施用内容が電子カルテ等の院内ネットワークを通して注射薬取り揃え装置に伝送され、注射薬は患者ごと、もしくは注射施用単位で自動的に取り揃えられる。その注射薬は、トレイや袋に収納されて装置から払い出しされる。袋の場合、袋表面のラベルに医薬名や患者名が表示されている。施用時には医薬名等の表示のない注射器に移し替えて患者に投与したり、別の点滴等の輸液容器に混入して投与したりする。
【０００３】
ところが、このように注射薬を注射器に移し替えて患者に投与などする場合、移し替え後すぐに注射する場合は良いが、移し替えた後にその場を一旦離れた場合などに、その後、その注射器内の注射薬の確認ができなくなり、誤投与に繋がる可能性がある。そのため、従来、これを防止するための医薬ラベルが開発されている。
【０００４】
例えば、特許文献１には、患者情報、医薬品種情報や医薬施用情報等を印字した患者ラベルと、この患者ラベルとミシン目により容易に切り離し可能とした医薬ラベルであり、患者情報や医薬品種情報等を表示した医薬ラベルとを、患者単位の透明な医薬用袋の正面に予め貼剥可能に貼付しておき、施用すべき医薬を医薬用袋から取り出した後、医薬用袋に貼付されている取り出した医薬に該当する医薬ラベルとミシン目に沿って切り剥がして医薬に貼り替えることが記載されている。
【０００５】
また、特許文献２には、表面側に位置した第一層ラベルと、この第一層ラベルの裏面に設けられた粘着剤と、第一層ラベルが粘着剤により剥離自在に接合し第一層ラベルよりも大きい第二層ラベルと、この第二層ラベルの裏面に設けられた粘着剤と、この粘着剤を介して第二層ラベルの積層部分と同一内容を含む情報が印刷された薬剤管理多層ラベルが記載されている。この薬剤管理用多層ラベルは、第一層ラベルを第二層ラベルから剥がして、注射器や輸液容器等に貼り付けて使用する。
【先行技術文献】
【特許文献】
【０００６】
【特許文献１】特開２００４−１７３８１０号公報
【特許文献２】特開２００３−１０８００２号公報
【発明の概要】
【発明が解決しようとする課題】
【０００７】
ところが、特許文献１に記載の医薬ラベルでは、予め貼剥可能に貼付されているものの、一旦医薬用袋に貼付されているラベルを剥がすと、ラベルの粘着力が低下しているため、医薬に貼り替えても簡単に剥がれてしまう恐れがある。特に、点滴等の輸液容器は軟質プラスチック製であることが多く、容器内の薬液が減じると容器が凹み変形する。ラベルの粘着力が弱いと、この変形で容器からラベルが脱落する。ラベル上には点滴速度など点滴中の注意事項が記載されているので、ラベルがないとそのチェックができなくなる。
【０００８】
一方、特許文献２に記載の医薬ラベルではラベルが二層構造になっているため、貼り替えによる粘着力の低下はないが、このような二層構造のラベルの製造が難しく、コストが高くなるという問題がある。
【０００９】
そこで、本発明においては、簡単な構造により低コストで、貼り替えによる粘着力の低下がない医薬ラベルを提供することを目的とする。
【課題を解決するための手段】
【００１０】
本発明の医薬ラベルは、貼付面に粘着剤が設けられたラベルシートと、ラベルシートの粘着剤側に剥離可能に設けられた剥離シートとを有する医薬ラベルであって、ラベルシートは、医薬の内容が表示される表示部と、この表示部の外側を囲むように設けられ、表示部と分割された外枠部とを有するものであり、剥離シートは、ラベルシートの外枠部の領域内で内側部と外側部とに分割されたものであることを特徴とする。
【００１１】
本発明の医薬ラベルによれば、医薬が収容される第１容器に貼り付けられる第１段階では、ラベルシートが剥離シートの内側部がラベルシートの粘着剤側に残されたまま外側部が剥離されて第１容器に貼り付けられ、医薬が第１容器から移し替えられる第２容器に貼り付けられる第２段階では、外枠部が剥離シートの内側部とともに第１容器に残されたまま表示部が剥離されて第２容器に貼り付けられるので、ラベルシートの貼り替え時に従来のような一旦貼り付けられた粘着剤部分の貼り替えが生じないので、貼り替えによる粘着力の低下は起こらない。
【発明の効果】
【００１２】
本発明の医薬ラベルでは、貼り替えによる粘着力の低下がなく、ラベルシートは１層構造とすることができ、簡単な構造により低コストである。
【図面の簡単な説明】
【００１３】
【図１】本発明の実施の形態における医薬ラベルを示す図であって、（ａ）は平面図、（ｂ）は断面図である。
【図２】本発明の実施の形態における医薬ラベルの使用方法を示す断面図である。
【図３】本発明の実施の形態における医薬ラベルの使用方法を示す断面図である。
【図４】本発明の実施の形態における医薬ラベルの使用方法を示す断面図である。
【図５】本発明の実施の形態における医薬ラベルの使用方法を示す断面図である。
【発明を実施するための形態】
【００１４】
図１は本発明の実施の形態における医薬ラベルを示す図であって、（ａ）は平面図、（ｂ）は断面図である。図１において、本発明の実施の形態における医薬ラベル１は、貼付面（同図（ａ）の裏側面、同図（ｂ）の下側面）に粘着剤４が設けられたラベルシート２と、ラベルシート２の粘着剤４側に剥離可能に設けられた剥離シート３とを有する。
【００１５】
ラベルシート２は、医薬の内容が表示される表示部２ａと、この表示部２ａの外側を囲むように設けられ、切れ目２ｃによって表示部２ａと分割された外枠部２ｂとを有する。なお、切れ目２ｃは、表示部２ａと外枠部２ｂとを完全に分割するものであることが望ましいが、ミシン目などによって容易に分割可能な構成としても良い。表示部２ａには、患者情報（氏名、年齢、性別等）、医薬品種情報（品名、容量等）、医薬施用情報（施用月日、点滴速度等）やそれらを識別するバーコード等などが表示される。
【００１６】
剥離シート３は、ラベルシート２の外枠部２ｂの領域内で切れ目３ｃによって内側部３ａと外側部３ｂとに分割されている。ラベルシート２の外枠部２ｂの領域とは、ラベルシート２の外枠部２ｂの外周線２ｂ−１と内周線２ｂ−２とで囲まれた領域である。なお、切れ目３ｃは、内側部３ａと外側部３ｂとを完全に分割するものであることが望ましいが、ミシン目などによって容易に分割可能な構成としても良い。
【００１７】
次に、上記構成の医薬ラベル１の使用方法について、図２〜図５を参照して説明する。
【００１８】
まず医薬が収容される第１容器としての医薬用袋５（図３参照。）に貼り付けられる第１段階では、図２に示すように、まず剥離シート３の外側部３ｂをラベルシート２から剥離する。このとき、剥離シート３の内側部３ａをラベルシート２の粘着剤４側に残したままとする。そして、図３に示すように、ラベルシート２を剥離シート３の内側部３ａとともに医薬用袋５に貼り付ける。患者ごと、もしくは注射施用単位で取り揃えられた医薬は、このラベルシート２が貼り付けられた医薬用袋５（図３参照。）に収容されて施用する患者の元へと運ばれる。
【００１９】
次に、医薬用袋５に収容された医薬が移し替えられる第２容器としての輸液容器６に貼り付けられる第２段階では、図４に示すように、ラベルシート２の外枠部２ｂを剥離シート３の内側部３ａとともに医薬用袋５に残したまま、ラベルシート２の表示部２ａを剥離する。そして、図５に示すように、ラベルシート２の表示部２ａを輸液容器６に貼り付ける。
【００２０】
このように本実施形態における医薬ラベル１では、輸液容器６に貼り付けるラベルシート２の表示部２ａは、医薬用袋５に貼り付けられる第１段階では一切剥離シート３から剥離されることがなく、輸液容器６に貼り付けられる第２段階において初めて剥離シート３から剥離される。すなわち、ラベルシート２の医薬用袋５から輸液容器６への貼り替え時に、一旦貼り付けられた粘着剤４部分の貼り替えが生じないので、従来のような貼り替えによる粘着力の低下は起こらない。また、本実施形態における医薬ラベル１では、ラベルシート２は１層構造の簡単な構造であり、低コストでの製造が可能である。
【００２１】
また、本実施形態における医薬ラベル１では、上述のように一旦貼り付けられた粘着剤４部分の貼り替えが生じないので、粘着剤４の粘着力を任意に選択することが可能である。生理食塩水等が充填された輸液容器では、他薬剤を混合させて患者に点滴投与することが多く、混合前にラベルシート２を輸液容器に貼り付ける場合と、混合後に貼り付ける場合との２通りの運用がある。前者では注射薬施用内容が変更になることで、ラベルシート２を容器から剥がす必要がある一方、後者では容器から剥がす必要がない。そのため、前者では剥がすことができる粘着性、後者では剥がれない強度の粘着性が求められ、粘着剤４の粘着力を任意に選択することが可能な本実施形態における医薬ラベル１は、このような場合に好適である。
【００２２】
なお、本実施形態においては、ラベルシート２の外枠部２ｂは表示部２ａの外側を完全に閉じるように囲んでいるが、一部開いた状態で囲む構成とすることも可能である。また、本実施形態においては、ラベルシート２の表示部２ａは２分割としているが、３分割以上としたり、あるいは分割しない構成とすることも可能である。
【産業上の利用可能性】
【００２３】
本発明の医薬ラベルは、医薬の内容を表示するためにその医薬が収容される医薬用袋、注射器や輸液容器等の容器に付される医薬ラベルとして有用であり、特に、医薬が収容される容器から別の容器に貼り替えて使用する医薬ラベルとして好適である。
【符号の説明】
【００２４】
１  医薬ラベル
２  ラベルシート
２ａ  表示部
２ｂ  外枠部
２ｃ  切れ目
３  剥離シート
３ａ  内側部
３ｂ  外側部
４  粘着剤
５  医薬用袋
６  輸液容器
【図１】
2014161366.tif 000003
【図２】
2014161366.tif 000004
【図３】
2014161366.tif 000005
【図４】
2014161366.tif 000006
【図５】
2014161366.tif 000007